(57)【要約】【課題】発光素子及び波長変換部を反射部材で囲んだ構成によって発光素子から発せられた光とは異なる色の光（白色光）を出射する半導体発光装置において、波長変換部の反射部材に沿う周縁部から黄色みがかった白色光が出射されることのないように色ムラの発生を抑制した半導体発光装置を提供することにある。【解決手段】ＬＥＤ素子１１と、該ＬＥＤ素子１１の上面１２の光出射面上に配置された、光出射面とほぼ同一形状寸法の波長変換部２０との周りを白樹脂３０で囲み、波長変換部２０のＬＥＤ素子１１側又はＬＥＤ素子１１と反対側の周縁端部を部分的に切り欠いて肉厚が薄くなった部分に光拡散部４１を設けた。【選択図】図２
2018085447.tif 000002
【特許請求の範囲】
【請求項１】
ＬＥＤ素子と、
蛍光体を分散した平板状の波長変換部と、
反射性を有する白樹脂と、
光拡散剤を分散した光拡散部と、を備え、
前記ＬＥＤ素子と、該ＬＥＤ素子の上面の光出射面上に配置された、前記光出射面とほぼ同一形状寸法の前記波長変換部との周りを前記白樹脂で囲み、
前記波長変換部の前記ＬＥＤ素子側又は前記ＬＥＤ素子と反対側の周縁端部を部分的に切り欠いて肉厚が薄くなった部分に光拡散部を設けたことを特徴とするＬＥＤ発光装置。
【請求項２】
前記波長変換部、前記白樹脂及び前記光拡散部の夫々の上面は互いにほぼ面一に形成されていることを特徴とする請求項１に記載のＬＥＤ発光装置。
【請求項３】
前記波長変換部の周縁端部の前記切り欠いた部分の面は、前記波長変換部の面方向に対する傾斜平面、上方に凸の傾斜湾曲面又は下方に凹の傾斜湾曲面のいずれかで構成されていることを特徴とする請求項１又は請求項２のいずれかに記載のＬＥＤ発光装置。
【請求項４】
前記波長変換部の周縁端部の前記切り欠いて肉厚が薄くなった部分の側面は、前記ＬＥＤ素子の前記光出射面に垂直に形成されていると共に前記白樹脂に面接触していることを特徴とする請求項１〜請求項３のいずれかに記載のＬＥＤ発光装置。
【請求項５】
前記ＬＥＤ素子は青色光を発する青色ＬＥＤ素子であり、前記波長変換部に分散された前記蛍光体は、前記青色ＬＥＤ素子から発せられた青色光で励起されて黄色光を発する黄色蛍光体であることを特徴とする請求項１〜請求項４のいずれかに記載のＬＥＤ発光装置。
【発明の詳細な説明】
【技術分野】
【０００１】
本発明は、ＬＥＤ発光装置に関するものであり、詳しくは、発光源から発せられた光とは異なる色（色相）の光を出射するＬＥＤ発光装置に関する。
【背景技術】
【０００２】
従来、この種のＬＥＤ発光装置としては、特許文献１に「半導体発光装置」の名称で開示されたものがある。
【０００３】
開示された半導体発光装置８０は図１３にあるように、基板８１上に実装された発光素子８２の上に波長変換層８３を配置し、発光素子８２及び波長変換層８３の周りを、夫々の側面に接するように白色樹脂からなる反射部材８４で囲っている。これにより、発光素子（青色発光ＬＥＤ）８２から発せられた青色光と、青色光の励起によって波長変換層８３で波長変換された黄色光との混合によって波長変換層８３の上面から白色光が出射される。
【０００４】
この場合、波長変換層８３の側面から出射した光は、反射部材８４で反射されて波長変換層８３側に戻され、再度波長変換層８３内を通って上面から出射される。その結果、半導体発光装置８０からの出射光の輝度が高められる、というものである。
【先行技術文献】
【特許文献】
【０００５】
【特許文献１】特許第５２２４１７３号
【発明の概要】
【発明が解決しようとする課題】
【０００６】
ところで、上記構成からなる半導体発光装置８０は、発光素子８２から直上方向に発せられた光（青色光）は、波長変換層８３内を通る光路長が短いために波長変換層８３での励起確率が低いのに対し、発光素子８２から斜め上方の傾斜方向に発せられた光（青色光）は、傾斜角度が大きくなるにつれて波長変換層８３内を通る光路長が長くなるために波長変換層８３での励起確率が高くなり、そのため次第に黄色成分が多くなって黄色みがかった白色光となる。
【０００７】
この場合、図１４にあるように、発光素子８２から発せられて波長変換層８３内を傾斜方向に進んで側面から反射部材８４に向けて出射された黄色成分の多い光（黄色みがかった白色光）Ｌ８０は、その一部が反射部材８４の内周面で散乱されて散乱光の一部Ｌ８１が反射部材84の内周面に沿って発光素子８２の直上方向に出射され、散乱光の他の一部Ｌ８２は波長変換層８３側に戻されて波長変換層８３内で再度散乱されて散乱光の一部が反射部材８４の内周面の近傍を発光素子８２の直上方向に長い光路長を経て、更に黄色成分が多く更に黄色みがかった白色光として出射される。
【０００８】
これを、波長変換層８３の直上方向から見ると図１５にあるように、波長変換層８３の、反射部材８４に沿う周縁部以外の領域からはほぼ色ムラのない純白色光が観察されるが、反射部材８４に沿う周縁部からは黄色みがかった白色光が波長変換層８３の縁取りのように観察される。換言すると、波長変換層８３からは色ムラのある白色光が出射されることになる。
【０００９】
そこで、本発明は上記問題に鑑みて創案なされたもので、その目的とするところは、発光素子及び波長変換層を反射部材で囲んだ構成によって発光素子から発せられた光とは異なる色（色相）の光を出射する半導体発光装置において、波長変換層の反射部材に沿う周縁部から黄色みがかった白色光が出射されることのないように色ムラの発生を抑制した半導体発光装置を提供することにある。
【課題を解決するための手段】
【００１０】
上記課題を解決するために、本発明の請求項１に記載された発明は、ＬＥＤ素子と、蛍光体を分散した平板状の波長変換部と、反射性を有する白樹脂と、光拡散剤を分散した光拡散部と、を備え、前記ＬＥＤ素子と、該ＬＥＤ素子の上面の光出射面上に配置された、前記光出射面とほぼ同一形状寸法の前記波長変換部との周りを前記白樹脂で囲み、前記波長変換部の前記ＬＥＤ素子側又は前記ＬＥＤ素子と反対側の周縁端部を部分的に切り欠いて肉厚が薄くなった部分に光拡散部を設けたことを特徴とするものである。
【００１１】
また、本発明の請求項２に記載された発明は、請求項１において、前記波長変換部、前記白樹脂及び前記光拡散部の夫々の上面は互いにほぼ面一に形成されていることを特徴とするものである。
【００１２】
また、本発明の請求項３に記載された発明は、請求項１又は請求項２のいずれかにおいて、前記波長変換部の周縁端部の前記切り欠いた部分の面は、前記波長変換部の面方向に対する傾斜平面、上方に凸の傾斜湾曲面又は下方に凹の傾斜湾曲面のいずれかで構成されていることを特徴とするものである。
【００１３】
また、本発明の請求項４に記載された発明は、請求項１〜請求項３のいずれかにおいて、前記波長変換部の周縁端部の前記切り欠いて肉厚が薄くなった部分の側面は、前記ＬＥＤ素子の前記光出射面に垂直に形成されていると共に前記白樹脂に面接触していることを特徴とするものである。
【００１４】
また、本発明の請求項５に記載された発明は、請求項１〜請求項４のいずれかにおいて、前記ＬＥＤ素子は青色光を発する青色ＬＥＤ素子であり、前記波長変換部に分散された前記蛍光体は、前記青色ＬＥＤ素子から発せられた青色光で励起されて黄色光を発する黄色蛍光体であることを特徴とするものである。
【発明の効果】
【００１５】
本発明によれば、ＬＥＤ素子と、ＬＥＤ素子の上面の光出射面上に配置された、ＬＥＤ素子の光出射面とほぼ同一形状寸法の波長変換部との周りを白樹脂で囲み、波長変換部のＬＥＤ素子側又はＬＥＤ素子と反対側の周縁端部を部分的に切り欠いて肉厚が薄くなった部分に光拡散部を設けた。
【００１６】
これにより、ＬＥＤ素子から光拡散部の方向に発せられて波長変換部内の長い光路長を経て光拡散部に達して光拡散部で拡散されて外部に向けて出射された黄色成分の多い白色光と、ＬＥＤ素子の、光拡散部の下方領域からＬＥＤ素子の直上方向に発せられて波長変換部内の短い光路長及び光拡散部を経て外部に向けて出射された青色成分の多い白色光との混合によって純白に近い白色光を得ることができる。
【００１７】
その結果、波長変換部の白樹脂に沿う周縁部から黄色みがかった白色光が出射されることのないように色ムラの発生が抑制され、波長変換部の光出射面の全面に亘って色ムラの少ない白色光を得ることができる。
【図面の簡単な説明】
【００１８】
【図１】本発明のＬＥＤ発光装置に係る第１の実施形態の平面図である。
【図２】図１のＡ−Ａ断面図である。
【図３】第１の実施形態の光路図である。
【図４】第１の実施形態を構成する波長変換部の斜視図である。
【図５】波長変換部の切欠き面の説明図である。
【図６】同じく、波長変換部の切欠き面の説明図である。
【図７】同じく、波長変換部の切欠き面の説明図である。
【図８】波長変換部の切欠き面の形状と白色出射光の色成分との関係を示す説明図である。
【図９】ＬＥＤ素子の大きさと切欠き面の形状との関係を示す説明図である。
【図１０】本発明のＬＥＤ発光装置に係る第２の実施形態の断面図である。
【図１１】第２の実施形態の光路図である。
【図１２】第２の実施形態を構成する波長変換部の切欠き面の説明図である。
【図１３】従来例の構成の説明図である。
【図１４】従来例の光路図である。
【図１５】従来例の見え方の説明図である。
【発明を実施するための形態】
【００１９】
以下、この発明の好適な実施形態を図１〜図１２を参照しながら、詳細に説明する（同一部分については同じ符号を付す）。尚、以下に述べる実施形態は、本発明の好適な具体例であるから、技術的に好ましい種々の限定が付されているが、本発明の範囲は、以下の説明において特に本発明を限定する旨の記載がない限り、これらの実施形態に限られるものではない。
【００２０】
図１は本発明のＬＥＤ発光装置に係る第１の実施形態の平面図、図２は図１のＡ−Ａ断面図、図３は第１の実施形態の光路図、図４は第１の実施形態を構成する波長変換部の斜視図である。
【００２１】
第１の実施形態のＬＥＤ発光装置１は、基板１０の上に発光源となるＬＥＤ素子（チップ）１１が実装され、ＬＥＤ素子１１の上に該ＬＥＤ素子１１の上面１２全面を覆うように波長変換部２０が配置され、ＬＥＤ素子１１及び波長変換部２０の周りを夫々の側面に接して覆うように白樹脂３０で囲まれている。
【００２２】
ＬＥＤ素子１１は、波長変換部２０に分散された蛍光体を励起する波長の光を発する素子が用いられる。本実施形態においては、後述するように波長変換部２０に、励起光の励起によって黄色光を発する蛍光体（黄色蛍光体）を用いているため、黄色光との混合によって白色光を構成する青色光を発する青色ＬＥＤ素子を用いている。
【００２３】
波長変換部２０は、例えば、透明エポキシ樹脂や透明シリコーン樹脂などの透明樹脂に蛍光体を分散して硬化したもの（蛍光体樹脂）、あるいはアルミナなどのセラミック材料に蛍光体を分散して焼結したもの（蛍光体セラミックス）などが用いられる。
【００２４】
波長変換部２０は矩形平板状に形成され、ＬＥＤ素子１１と反対側の周縁端部が、波長変換部２０の厚み方向のＬＥＤ素子１１側に向かって側方に傾斜する平面で所定の厚み位置まで斜めに環状に切り欠かれた四角錐台形状を有している（図４参照）。換言すると、波長変換部２０の側面２５はその厚み（Ｈ）に対して、ＬＥＤ素子１１側の面（下面）２１からＬＥＤ素子１１と反対側の面（上面）２２に向かう所定の厚み部分（Ｈ１）までが該厚み方向に沿う垂直平面２３で構成され、垂直平面２３の上端部から上面２２までの所定の厚み部分（Ｈ２）が内側に傾斜する傾斜平面２４で構成されている。
【００２５】
白樹脂３０は、酸化チタンなどの光反射性を有する粒子が分散されて光反射性を備えると共に遮光性も備えており、ＬＥＤ素子１１及び波長変換部２０の周りを夫々の側面に接して覆うように設けられてＬＥＤ素子１１から発せられた光の光路形成に寄与するものとなる。
【００２６】
ＬＥＤ素子１１と波長変換部２０と白樹脂３０とは、ＬＥＤ素子１１の側面１３が全面に亘って白樹脂３０の内周面３１に面接触し、波長変換部２０の垂直平面２３が全面に亘って白樹脂３０の内周面３１に面接触し、波長変換部２０の傾斜平面２４と白樹脂３０の内周面３１との間に略Ｖ溝状の樹脂充填用の空間（樹脂充填空間）４０が環状に形成されている。
【００２７】
そして、樹脂充填空間４０には、透明エポキシ樹脂や透明シリコーン樹脂などの透明樹脂にＴｉＯ２、Ａｌ２Ｏ３、ＡｌＮ、ＳｉＯ２、ＺｎＯなどの光拡散性を有する光拡散剤を分散した光拡散樹脂が充填されて光拡散部４１を形成している。光拡散部４１は、上面４２が、波長変換部２０の上面２２及び白樹脂３０の上面３２に対してほぼ面一に形成されている。
【００２８】
そこで、図３の光路図で示すように、ＬＥＤ素子１１から該ＬＥＤ素子１１の直上方向に発せられた光（青色光）Ｌ１は、波長変換部２０の下面２１の光入射面から波長変換部２０内に入射して波長変換部２０内を最短距離の光路長Ｓ１で通過して上面２２の光出射面から外部に向けて出射される。
【００２９】
このとき、波長変換部２０内においては、ＬＥＤ素子１１から発せられた青色光の一部が波長変換部２０内に分散された蛍光体（黄色蛍光体）を励起することによって波長変換された黄色光が生成されると共にＬＥＤ素子１１から発せられた青色光の一部がそのまま波長変換部２０内を透過し、波長変換部２０内で生成された黄色光と波長変換部２０内を透過した青色光との混合光による白色光が上面２２の光出射面から外部に向けて出射される。
【００３０】
一方、ＬＥＤ素子１１から該ＬＥＤ素子１１の斜め上方の傾斜平面２４の方向に発せられた光（青色光）Ｌ２は、ＬＥＤ素子１１から該ＬＥＤ素子１１の直上方向に発せられた光Ｌ１よりも長い光路長Ｓ２で波長変換部２０内を通過して傾斜平面２４から光拡散部４１に入射し、光拡散部４１内に分散された光拡散剤で拡散されてその一部が上面４２の光出射面から外部に向けて出射される。
【００３１】
このとき、光拡散部４１の上面４２の光出射面から外部に向けて出射される光（白色光）は、波長変換部２０内において、ＬＥＤ素子１１から該ＬＥＤ素子１１の直上方向に発せられた光Ｌ１の光路長Ｓ１よりも長い光路長Ｓ２を経ているために波長変換部２０での励起確率が高く、ＬＥＤ素子１１から該ＬＥＤ素子１１の直上方向に発せられた光Ｌ１による出射光よりも黄色成分の多い黄色みがかった白色光が出射される。
【００３２】
ところで、ＬＥＤ素子１１の、光拡散部４１の下方領域から該ＬＥＤ素子１１の直上方向に発せられた光（青色光）Ｌ３は、上方に光拡散部４１が位置する分、波長変換部２０の厚みが中央部よりも薄く、波長変換部２０内において、ＬＥＤ素子１１から該ＬＥＤ素子１１の直上方向に発せられた光Ｌ１の光路長Ｓ１よりも短い光路長Ｓ３を経ているために波長変換部２０での励起確率が低くなり、ＬＥＤ素子１１から該ＬＥＤ素子１１の直上方向に発せられた光Ｌ１による出射光よりも青色成分の多い青みがかった白色光が光拡散部４１の上面４２の光出射面から外部に向けて出射される。
【００３３】
そこで、光拡散部４１の上面４２の光出射面から互いに近接して出射された上記黄色みがかった白色光Ｌ２と上記青みがかった白色光Ｌ３の混合による白色光が、波長変換部２０の、光拡散部４１が位置しない領域から出射される白色光の色相と同様の色相を呈するものとなる。
【００３４】
したがって、これをＬＥＤ発光装置１の光出射方向前方からみると、波長変換部２０の全面に亘ってほぼ同じ色相の白色光が観察される。つまり、ＬＥＤ発光装置１からは、色ムラの少ない白色光を得ることができる。
【００３５】
なお、上述の第１の実施形態のＬＥＤ発光装置において、波長変換部２０の、樹脂充填空間４０を形成する傾斜平面２４の代わりに図５に示すような下方に凹んだ自由曲面からなる下方凹湾曲面２６、あるいは図６に示すような上方に膨らんだ自由曲面からなる上方凸湾曲面２７で構成することも可能である。これにより、光拡散部４１の形状が変わる。
【００３６】
そこで、ＬＥＤ素子１１の、光拡散部４１の下方領域から該ＬＥＤ素子１１の直上方向に発せられた光（白色光）の色相についてみると、波長変換部２０の側面の、光拡散部４１との界面を形成する部分の形状が、上方凸湾曲面２７で構成された場合と、傾斜平面２４で構成された場合と、下方凹湾曲面２６で構成された場とにおける波長変換部２０内を通る光路長を比較すると、図７に示すように、上方凸湾曲面２７の場合の光路長Ｄ１が最も長く、下方凹湾曲面２６の場合の光路長Ｄ３が最も短く、傾斜平面２４の場合の光路長Ｄ２がその中間の長さになる。
【００３７】
したがって、波長変換部２０内での励起確率は、上方凸湾曲面２７の場合が最も高く、下方凹湾曲面２６の場合が最も低く、傾斜平面２４の場合がその中間の確率となる。そのため、光拡散部４１の上面４２から出射される光（白色光）は、図８に示すように、上方凸湾曲面２７の場合が最も黄色成分が多く、下方凹湾曲面２６の場合が最も青色成分が多く、傾斜平面２４の場合がその中間の成分値を有している。
【００３８】
そこで、波長変換部２０の側面の、光拡散部４１との界面を形成する部分の形状が上方凸湾曲面２７で構成された場合、ＬＥＤ素子１１の、光拡散部４１の下方領域から該ＬＥＤ素子１１の直上方向に発せられて光拡散部４１の上面４２から出射される青みがかった白色光と、ＬＥＤ素子１１から斜め上方に発せられて波長変換部２０内の最も短い光路長を通って励光拡散部４１で拡散されて光拡散部４１の上面４２から出射される黄色みがかった白色光との混合によって互いの黄色成分及び青色成分を補完し合ってより純白に近い白色光を得ることができる。
【００３９】
また、波長変換部２０の側面の、光拡散部４１との界面を形成する部分の形状が下方凹湾曲面２６で構成された場合、ＬＥＤ素子１１の、光拡散部４１の下方領域から該ＬＥＤ素子１１の直上方向に発せられて光拡散部４１の上面４２から出射される青みがかった白色光と、ＬＥＤ素子１１から斜め上方に発せられて波長変換部２０内の最も長い光路長を通って励光拡散部４１で拡散されて光拡散部４１の上面４２から出射される黄色みがかった白色光との混合によって互いの黄色成分及び青色成分を補完し合ってより純白に近い白色光を得ることができる。
【００４０】
更に、波長変換部２０の側面の、光拡散部４１との界面を形成する部分の形状が傾斜平面２４で構成された場合、ＬＥＤ素子１１の、光拡散部４１の下方領域から該ＬＥＤ素子１１の直上方向に発せられて光拡散部４１の上面４２から出射される青みがかった白色光と、ＬＥＤ素子１１から斜め上方に発せられて波長変換部２０内の中間の長さの光路長を通って励光拡散部４１で拡散されて光拡散部４１の上面４２から出射される黄色みがかった白色光との混合によって互いの黄色成分及び青色成分を補完し合ってより純白に近い白色光を得ることができる。
【００４１】
そのため、図９に示すように、ＬＥＤ素子１１の上面１２の光出射面の大きさ、換言するとＬＥＤ素子１１の大きさが大きい（Ａ）の場合は、ＬＥＤ素子１１から発せられた光が光拡散部４１に到達するまでの間に波長変換部２０内の長い光路を経るために、波長変換部２０の側面の、光拡散部４１との界面を形成する部分の形状を下方凹湾曲面２６で構成し、ＬＥＤ素子１１の上面１２の光出射面の大きさが小さくなるにつれて、ＬＥＤ素子１１から発せられた光が光拡散部４１に到達するまでの間の波長変換部２０内の光路が短くなるため、順次（Ｂ）の場合は傾斜平面２４、（Ｃ）の場合は上方凸湾曲面２７で構成することによりいずれの場合もより純白に近い白色光を得ることができる。
【００４２】
図１０は、本発明のＬＥＤ発光装置に係る第２の実施形態の断面図である。
【００４３】
第２の実施形態は、上述の第１の実施形態に対して、波長変換部２０のＬＥＤ素子１１側の周縁端部に、ＬＥＤ素子１１の上面１２と波長変換部２０の側面２５の傾斜平面２４と白樹脂３０の内周面３１とで囲まれた樹脂充填空間４０が設けられており、その空間内に光拡散樹脂が充填されて光拡散部４１を形成した構成を有している。
【００４４】
この場合、図１１の光路図に示すように、ＬＥＤ素子１１から該ＬＥＤ素子１１の斜め上方の白樹脂３０の内周面３１の方向に発せられた光（青色光）Ｌ１２は、波長変換部２０内を通過して白樹脂３０の内周面３１で反射されて波長変換部２０の垂直平面２３に沿って上面２２から黄色成分の多い黄色みがかった白色光として出射される。
【００４５】
この出射光と、ＬＥＤ素子１１の、光拡散部４１の下方領域から該ＬＥＤ素子１１の直上方向に発せられた青色成分の多い青みがかった白色光Ｌ１３との混合によって純白に近い白色光が得られる。
【００４６】
また、ＬＥＤ素子１１から該ＬＥＤ素子１１の斜め上方の傾斜平面２４の方向に発せられて波長変換部２０内を通過して白樹脂３０の内周面３１で反射されて再度波長変換部２０内に戻って波長変換部２０内を通過して上面２２から外部に出射された黄色成分の多い黄色みがかった白色光Ｌ１４と、ＬＥＤ素子１１の、光拡散部４１の下方領域から該ＬＥＤ素子１１の直上方向に発せられた青色成分の多い青みがかった白色光Ｌ１５との混合によって純白に近い白色光が得られる。
【００４７】
なお、この場合も図１２に示すように、樹脂充填空間４０を形成する傾斜平面２４の代わりに下方に膨らんだ自由曲面からなる下方凸湾曲面２８、あるいは上方に凹んだ膨らんだ自由曲面からなる上方凹湾曲面２９で構成することも可能である。これにより、光拡散部４１の形状は変わるが、光拡散部４１の、光路形成における光学作用については上述の第１の実施形態で詳細に説明したのでここでは説明を省略する。
【００４８】
以上説明したように、本発明のＬＥＤ発光装置は、発光源となるＬＥＤ素子と、ＬＥＤ素子の上に配置されてＬＥＤ素子からの光で励起されて波長変換した光を発する平板状の波長変換部との周りを白樹脂で囲んで光学系を形成し、波長変換部のＬＥＤ素子側又はＬＥＤ素子と反対側の周縁端部を部分的に切り欠いて肉厚が薄くなった部分に光拡散部を設けた構成とした。
【００４９】
これにより、ＬＥＤ素子から光拡散部の方向に発せられて波長変換部内の長い光路長を経て光拡散部に達して光拡散部で拡散されて外部に向けて出射された黄色成分の多い白色光と、ＬＥＤ素子の、光拡散部の下方領域からＬＥＤ素子の直上方向に発せられて波長変換部内の短い光路長及び光拡散部を経て外部に向けて出射された青色成分の多い白色光との混合によって純白に近い白色光を得ることができる。
【００５０】
その結果、波長変換部の白樹脂に沿う周縁部から黄色みがかった白色光が出射されることのないように色ムラの発生が抑制され、波長変換部の光出射面の全面に亘って色ムラの少ない白色光を得ることができる。
【符号の説明】
【００５１】
１…  ＬＥＤ発光装置
１０…  基板
１１…  ＬＥＤ素子（チップ）
１２…  上面
１３…  側面
２０…  波長変換部
２１…  下面
２２…  上面
２３…  垂直平面
２４…  傾斜平面
２５…  側面
２６…  下方凹湾曲面
２７…  上方凸湾曲面
２８…  下方凸湾曲面
２９…  上方凹湾曲面
３０…  白樹脂
３１…  内周面
３２…  上面
４０…  樹脂充填空間
４１…  光拡散部
４２…  上面
【図１】
2018085447.tif 000003
【図２】
2018085447.tif 000004
【図３】
2018085447.tif 000005
【図４】
2018085447.tif 000006
【図５】
2018085447.tif 000007
【図６】
2018085447.tif 000008
【図７】
2018085447.tif 000009
【図８】
2018085447.tif 000010
【図９】
2018085447.tif 000011
【図１０】
2018085447.tif 000012
【図１１】
2018085447.tif 000013
【図１２】
2018085447.tif 000014
【図１３】
2018085447.tif 000015
【図１４】
2018085447.tif 000016
【図１５】
2018085447.tif 000017